(57)【要約】【課題】複数種類の治工具を使用することなく、径の大きさが異なる複数種類の保持器に、ころの脱落を抑制しつつ、内輪を取り付けることができる円錐ころ軸受の組立装置の提供。【解決手段】内輪（７）と、外輪（７１）と、内輪（７）と外輪（７１）との間に回転可能に設けられた複数のころ（６）と、複数のころ（６）を保持する保持器（５）とを備えた円錐ころ軸受の組立装置（１０）である。組立装置（１０）は、保持器（５）の内側に配置される支持部材（３）を備える。支持部材（３）は、ころ（６）の下部を支持し、かつ、保持器（５）の径方向に伸縮する。【選択図】図４
2019027461.tif 000002
【特許請求の範囲】
【請求項１】
内輪と、外輪と、当該内輪と当該外輪との間に回転可能に設けられた複数のころと、当該複数のころを保持する保持器とを備えた円錐ころ軸受の組立装置であって、
前記保持器の内側に配置される支持部材を備え、
前記支持部材は、前記ころの下部を支持し、かつ、前記保持器の径方向に伸縮する、
円錐ころ軸受の組立装置。
【発明の詳細な説明】
【技術分野】
【０００１】
本発明は、円錐ころ軸受の組立装置に関する。
【背景技術】
【０００２】
ころを取り付けた保持器に内輪を取り付ける際に、ころが保持器から脱落することを防止する円錐ころ軸受の組立方法がある。例えば、特許文献１には、ころを下方から支持する治工具を用いた円錐ころ軸受の組立方法が開示されている。
【先行技術文献】
【特許文献】
【０００３】
【特許文献１】特開２０１４−０８８９２８号公報
【発明の概要】
【発明が解決しようとする課題】
【０００４】
特許文献１に開示される円錐ころ軸受の組立方法では、径の大きさが異なる複数種類の保持器に、ころを取り付ける場合、保持器の径の大きさに応じて複数種類の治工具を必要とする。
【０００５】
本発明は、複数種類の治工具を使用することなく、径の大きさが異なる複数種類の保持器に、ころの脱落を抑制しつつ、内輪を取り付けるものとする。
【課題を解決するための手段】
【０００６】
本発明に係る円錐ころ軸受の組立装置は、
内輪と、外輪と、当該内輪と当該外輪との間に回転可能に設けられた複数のころと、当該複数のころを保持する保持器とを備えた円錐ころ軸受の組立装置であって、
前記保持器の内側に配置される支持部材（例えば、ゼンマイ３）を備え、
前記支持部材は、前記ころの下部を支持し、かつ、前記保持器の径方向に伸縮する。
このような構成によれば、支持部材が保持器の径方向に伸縮することができるので、支持部材の大きさを保持器の内側に当接する大きさに調整することができる。よって、異なる内径の複数の保持器であっても、支持部材の大きさを保持器の内径ごとに調整することで、支持部材がころを支持することができる。そのため、複数種類の治工具を使用することなく、径の大きさが異なる複数種類の保持器に、ころの脱落を抑制しつつ、内輪を取り付けることができる。
【発明の効果】
【０００７】
本発明は、複数種類の治工具を使用することなく、径の大きさが異なる複数種類の保持器に、ころの脱落を抑制しつつ、内輪を取り付けることができる。
【図面の簡単な説明】
【０００８】
【図１】実施の形態１に係る円錐ころ軸受の組立装置の斜視図である。
【図２】実施の形態１に係る円錐ころ軸受の組立装置の要部の斜視図である。
【図３】実施の形態１に係る円錐ころ軸受の組立装置の拡大斜視図である。
【図４】実施の形態１に係る円錐ころ軸受の組立装置の要部の一動作を示す図である。
【図５】実施の形態１に係る円錐ころ軸受の組立装置の要部の一動作を示す図である。
【図６】保持器に保持された円筒ころを示す図である。
【図７】実施の形態１に係る円錐ころ軸受の組立装置の要部の一動作を示す図である。
【図８】実施の形態１に係る円錐ころ軸受の組立装置を用いた組立方法の一例を示す図である。
【図９】実施の形態１に係る円錐ころ軸受の組立装置を用いた組立方法の一例を示す図である。
【図１０】実施の形態１に係る円錐ころ軸受の組立装置を用いた組立方法の一例を示す図である。
【図１１】実施の形態１に係る円錐ころ軸受の組立装置を用いた組立方法の一例を示す図である。
【図１２】実施の形態１に係る円錐ころ軸受の組立装置を用いた組立方法の一例を示す図である。
【図１３】実施の形態１に係る円錐ころ軸受の組立装置を用いた組立方法の一例を示す図である。
【図１４】実施の形態１に係る円錐ころ軸受の組立装置を用いた組立方法の一例を示す図である。
【発明を実施するための形態】
【０００９】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。各図面において、必要に応じて、ｘｙｚ３次元座標を規定する。
【００１０】
（実施の形態１）
図１〜図７を参照して実施の形態１に係る円錐ころ軸受の組立装置について説明する。
【００１１】
図１に示すように、円錐ころ軸受の組立装置１０は、ベース１と、保持器支持部２と、ゼンマイ３と、爪４とを備える。図１に示す円錐ころ軸受の組立装置１０の一例は、さらに、保持器支持部２の位置や姿勢を調節するボールネジ機構９を備える。
【００１２】
ベース１は、フレーム体１１と、ベース板１２とを備える。フレーム体１１は、直方体状に配置され、かつ、互いに連結されており、例えば、複数のフレームを仮想的な直方体の各辺上に倣って互いに連結されている。ベース板１２は、フレーム体１１が倣う直方体の一面に相当する面に設けられている。
【００１３】
保持器支持部２は、ベース板１２に取り付けられている。保持器支持部２は、ゼンマイ３及び爪４が設けられている。
【００１４】
図２に示すように、保持器支持部２は、台２ａと、環状板２ｂと、環状板２ｂに設けられた爪調節回転板２ｃとを備える。台２ａは、環状板２ｂと、ゼンマイ３とを支持し、環状板２ｂは、爪調節回転板２ｃと爪４とを支持している。台２ａには、台２ａの中心部、言い換えると、環状板２ｂの中心軸Ｚ１に回転可能に固定された軸２０が設けられている。
【００１５】
ゼンマイ３の中心側端部３ａは、軸２０に固定されており、ゼンマイ３は、軸２０の回転に伴って、巻かれたり、緩んだりする。図２に示す一例では、軸２０を、紙面に向かって反時計回りに回転させると、ゼンマイ３は軸２０に巻かれ、ゼンマイ３の外径を縮小させる一方、軸２０を紙面に向かって時計回りに回転させると、ゼンマイ３は緩み、ゼンマイ３の外径を拡大させる。つまり、ゼンマイ３の外径は、軸２０の回転に伴って、径方向に伸縮する。ゼンマイ３の外側端部３ｂは、所定の位置に固定されており、例えば、フック形状を備え、環状板２ｂの内側端面、又はその近傍に、例えば、所定の位置に固定されたロッド等の係り止め部材に留められている。なお、円錐ころ軸受の組立装置１０は、ゼンマイ３を覆う蓋を、適宜備えてもよい。
【００１６】
爪４は、その長手方向が環状板２ｂの径方向に倣うように配置され、環状板２ｂの径方向に移動可能に保持されている。爪４は、環状板２ｂの径方向の外側において、突出する突起部４ａを備える。図２に示す一例では、３つの爪４が、環状板２ｂの中心軸Ｚ１から径方向外側に延びるように配置されており、環状板２ｂの中心軸Ｚ１において３等分に分割した角度に相当する位置にある。
【００１７】
爪調節回転板２ｃは、爪可動溝２ｄと、回動溝２ｅとを備える。ボルト２ｆが、回動溝２ｅを通って、環状板２ｂに脱離可能に締結されている。ボルト２ｆを緩めることによって、爪調節回転板２ｃは、回動溝２ｅに沿って、環状板２ｂの中心軸Ｚ１近傍を中心として所定の角度範囲内において回動することができる。この回動に伴って、爪可動溝２ｄが爪４に力を与えて、爪４を環状板２ｂの径方向に移動させる。ボルト２ｆを締め付けることによって、爪調節回転板２ｃは、環状板２ｂに対して固定される。この固定に伴って、爪可動溝２ｄが所定の位置に固定され、爪４も所定の位置に固定される。爪４は、環状体５ｂの中心軸Ｚ１方向に所定の高さに移動し、その高さに固定する機構、例えば、ボールネジ機構等を備えるとよい。
【００１８】
保持器５は、ころ保持孔５ａを複数有する環状体５ｂを備える。環状体５ｂの側面は、円錐台側面状であり、環状体５ｂの中心軸Ｚ１に対して所定の角度だけ傾斜する。図１〜３に示す一例では、環状体５ｂの側面は、上方に向かって、環状板２ｂの中心軸Ｚ１から離れる方向に傾斜する。略円柱体状のころ６をころ保持孔５ａに組み付けると、ころ保持孔５ａは、ころ６を回転可能に保持することができる。なお、ころ保持孔５ａに組み付けられたころ６に、所定の力を与えると、ころ６がころ保持孔５ａから脱落することがある。
【００１９】
図３に示すように、ゼンマイ３の外縁部３ｃは、ころ６の下部、具体的には、ころ６の底部に押し当たり、ころ６を支持する。ころ６は、ゼンマイ３の外縁部３ｃによって支持されているため、環状板２ｂの中心軸Ｚ１（図２参照）へ向かう方向に所定の力を与えられても、倒れにくい。
【００２０】
ここで、図６に示すように、円錐ころ軸受は、製品の種類に応じて、異なる外径Ｒ１と、ころ高さＴ１とを備える。
【００２１】
図４に示すように、外径Ｒ１が小さな円錐ころ軸受を組み立てる場合、ゼンマイ３を巻いて、ゼンマイ３の外径Ｒ２を縮小させる。ゼンマイ３の外縁部３ｃが、ころ６の底部に押し当たり、ころ６を支持することができるまで、ゼンマイ３は巻かれる。
【００２２】
また、図５に示すように、外径Ｒ１（図６参照）が大きな円錐ころ軸受を組み立てる場合、ゼンマイ３を緩めて、ゼンマイ３の外径Ｒ２を拡大させる。ゼンマイ３の外縁部３ｃが、ころ６の底部に押し当たり、ころ６を支持することができるまで、ゼンマイ３は緩む。つまり、ゼンマイ３の巻き具合を変えることによって、広い範囲の外径Ｒ１の円錐ころ軸受に対応することができる。
【００２３】
さらに、円錐ころ軸受の外径Ｒ１が変わった場合、図７に示すように、爪４を外径Ｒ１（図６参照）に応じて、環状板２ｂ（図２参照）の径方向（ここでは、Ｘ軸方向）に移動させて、径方向位置ＴＲ１にその位置を合せる。また、円錐ころ軸受のころ高さＴ１が変わった場合、爪４をころ高さＴ１（図６参照）に応じて、軸方向（ここでは、Ｚ軸方向）に移動させて、高さＴＷ１にその位置を合せる。
【００２４】
（組立方法）
次に、図８〜図１４を参照して、円錐ころ軸受の組立装置を用いた円錐ころ軸受の組み立て方法の一例について説明する。
【００２５】
図８に示すように、ゼンマイ３の径が保持器５の環状体５ｂの内径未満になるまで、ゼンマイ３を巻く（ゼンマイ縮径工程Ｓ１）。ゼンマイ３の外縁部３ｃと環状板２ｂとの間に、保持器５が配置することのできるスペースが発生する。
【００２６】
続いて、図９に示すように、保持器５を、台２ａ上におけるゼンマイ３の外縁部３ｃと環状板２ｂとの間に配置する（保持器配置工程Ｓ２）。
【００２７】
続いて、図１０に示すように、保持器５の外径Ｒ１、ころ高さＴ１に応じて、爪４の径方向位置ＴＲ１や高さＴＷ１を調整する（保持器位置出し工程Ｓ３）。爪４を所定の位置に固定し、保持器５を爪４によって支持させる。
【００２８】
続いて、図１１に示すように、ゼンマイ３の外縁部３ｃが保持器５の近傍に到達するまで、ゼンマイ３を緩める（ゼンマイ拡径工程Ｓ４）。
【００２９】
続いて、図１２に示すように、ころ６を保持器５に組み付ける（ころ組み付け工程Ｓ５）。この組み付けの際に、適宜、ころ６がゼンマイ３の外縁部３ｃを押し退け、保持器５に組み付けられてもよい。組み付け後、ゼンマイ３の外縁部３ｃがころ６の底面に押し当たって、ころ６を支持する。そのため、ころ６は、保持器５から脱落しにくくなり、保持器５に回動可能に組み付けられた状態を維持する。
【００３０】
続いて、図１３に示すように、内輪７を保持器５の内側に嵌め込む（内輪セット工程Ｓ６）。内輪７は、内周面７ａと、外周面７ｂとを備え、外周面７ｂは、凹部７ｃを備える。凹部７ｃは、ころ６に倣った形状、又は、ころ６を保持することのできる形状を備えるとよい。
【００３１】
最後に、図１４に示すように、内輪７及び保持器５を組立装置１０から取り外す（円錐ころ軸受取外工程Ｓ７）。外輪７１を保持器５に嵌合させる。すると、円錐ころ軸受８が形成される。これによって、円錐ころ軸受８を組み立てることができる。
【００３２】
以上より、上記した組み立て方法では、ゼンマイ３の径が拡大、及び縮小することによって、径が広い範囲にある円錐ころ軸受であっても、１つのゼンマイ３を用いて、ころ６を支持することができる。すなわち、当該径に応じた治工具をそれぞれ必要とすることなく、一つのゼンマイ３を用いて、ころ６を支持し、ころ６の脱落を発生させることを抑制することができる。
【００３３】
ところで、保持器５の角度が所定の範囲、例えば５〜１５°にあるため、ころ６の重心が保持器５の内側にある円錐ころ軸受８の一例がある。このような円錐ころ軸受８の一例を組み立てる場合、ころ６の重心が保持器５の内側にあるため、ころ組み付け工程Ｓ５において、ころ６が保持器５から脱落し易い。そのため、上記した組み立て方法を用いて、このような円錐ころ軸受８の一例を組み立てる場合、ころ組み付け工程Ｓ５において、ころ６の脱落を発生させることを抑制するため、好ましい。
【００３４】
なお、本発明は上記実施の形態に限られたものではなく、趣旨を逸脱しない範囲で適宜変更することが可能である。例えば、実施の形態１に係る円錐ころ軸受の組立装置では、ゼンマイ３を用いたが、円板状又は環状を有し、かつ、その外縁が伸縮することができる支持部材を用いてもよい。
【符号の説明】
【００３５】
１０  組立装置
３  ゼンマイ                                ５  保持器
６  ころ                                    ７  内輪
７１  外輪
【図１】
2019027461.tif 000003
【図２】
2019027461.tif 000004
【図３】
2019027461.tif 000005
【図４】
2019027461.tif 000006
【図５】
2019027461.tif 000007
【図６】
2019027461.tif 000008
【図７】
2019027461.tif 000009
【図８】
2019027461.tif 000010
【図９】
2019027461.tif 000011
【図１０】
2019027461.tif 000012
【図１１】
2019027461.tif 000013
【図１２】
2019027461.tif 000014
【図１３】
2019027461.tif 000015
【図１４】
2019027461.tif 000016